(57)【要約】【課題】適正な運賃で交通機関を利用できる使い勝手のよい自動改札システムを提供する。【解決手段】携帯端末１００は、入場駅の入場駅情報を受信する受信部１０２と、所定の区間の定期券を含むＩＣカード毎に定期券の定期券情報を記憶する乗車券情報記憶部１０４と、乗車券情報記憶部１０４を参照し、定期券情報に基づいて、受信した入場駅情報に対応する定期券があるか否か判定する判定部１０６と、入場駅情報に対応する定期券情報と判定された定期券を含むＩＣカードを入場処理に使用するＩＣカードとして自動的に選択する選択部１０８と、を備える。【選択図】図１
2010079817.tif 000002
【特許請求の範囲】
【請求項１】
入場駅の入場駅情報を受信する受信手段と、
所定の区間の定期券を含むＩＣカード毎に前記定期券の定期券情報を記憶する記憶手段と、
前記記憶手段を参照し、前記定期券情報に基づいて、受信した前記入場駅情報に対応する定期券があるか否か判定する判定手段と、
前記入場駅情報に対応する前記定期券情報と判定された前記定期券を含むＩＣカードを入場処理に使用するＩＣカードとして自動的に選択する選択手段と、を備える携帯端末。
【請求項２】
請求項１に記載の携帯端末において、
前記記憶手段は、前記ＩＣカード毎に前記定期券の定期券区間端情報を記憶し、
前記判定手段は、前記記憶手段を参照し、前記定期券区間端情報に受信した前記入場駅情報を含む定期券があるか否か判定し、
前記選択手段は、前記判定手段により前記定期券区間端情報に前記入場駅情報を含むと判定された前記定期券を含むＩＣカードを入場処理に使用するＩＣカードとして自動的に選択する携帯端末。
【請求項３】
請求項１または２に記載の携帯端末において、
前記記憶手段は、前記ＩＣカード毎に前記定期券の定期券区間内の駅情報を記憶し、
前記判定手段は、前記記憶手段を参照し、前記定期券区間内の駅情報に受信した前記入場駅情報を含む定期券があるか否かを判定し、
前記選択手段は、前記判定手段により前記定期券区間内の駅情報に前記入場駅情報を含むと判定された前記定期券を含むＩＣカードを入場処理に使用するＩＣカードとして自動的に選択する携帯端末。
【請求項４】
請求項１乃至３いずれかに記載の携帯端末において、
乗車券として利用可能な電子マネーの電子マネー情報を記憶する電子マネー情報記憶手段を備え、
前記記憶手段は、前記ＩＣカード毎に、前記定期券の定期券区間外の駅の中から利用駅として予め登録された利用駅情報を記憶し、
前記判定手段は、前記記憶手段を参照し、受信した前記入場駅情報に一致する前記利用駅情報を含む定期券があるか否かを判定し、
前記選択手段は、前記判定手段により前記利用駅情報に一致する前記入場駅情報を含むと判定された前記定期券を含むＩＣカードを入場処理に使用するＩＣカードとして自動的に選択する携帯端末。
【請求項５】
請求項１乃至４いずれかに記載の携帯端末において、
いずれの前記ＩＣカードを利用するかを前記携帯端末のユーザに問い合わせ、前記ユーザの選択を受け付ける受付手段をさらに備え、
前記選択手段は、受け付けた前記ＩＣカードを前記入場処理に使用する前記ＩＣカードとして選択する携帯端末。
【請求項６】
請求項１乃至５のいずれかに記載の携帯端末と、
入場駅情報を前記携帯端末に送信する送信手段を備える自動改札システム。
【請求項７】
ユーザが携帯する携帯端末が、所定の区間の定期券を含むＩＣカード毎に前記定期券の定期券情報を記憶する記憶装置を有し、
前記携帯端末が、
入場駅の入場駅情報を受信し、
前記記憶装置を参照し、前記定期券情報に基づいて、受信した前記入場駅情報に対応する定期券があるか否か判定し、
前記入場駅情報に対応する前記定期券情報と判定された前記定期券を含むＩＣカードを入場処理に使用するＩＣカードとして自動的に選択する自動改札方法。
【請求項８】
請求項７に記載の自動改札方法において、
前記入場駅情報を前記携帯端末に送信する自動改札方法。
【請求項９】
携帯端末を実現するためのコンピュータプログラムであって、
コンピュータは、所定の区間の定期券を含むＩＣカード毎に前記定期券の定期券情報を記憶する記憶装置を有し、
前記コンピュータに、
入場駅の入場駅情報を受信する受信手段、
前記記憶装置を参照し、前記定期券情報に基づいて、受信した前記入場駅情報に対応する定期券があるか否か判定する判定手段、
前記入場駅情報に対応する前記定期券情報と判定された前記定期券を含むＩＣカードを入場処理に使用するＩＣカードとして自動的に選択する選択手段、として機能させるためのコンピュータプログラム。
【発明の詳細な説明】
【技術分野】
【０００１】
本発明は、自動改札システム、自動改札方法、携帯端末、およびそのコンピュータプログラムに関し、特に、定期券を含むＩＣカード機能を有する携帯端末により改札を行う自動改札システム、自動改札方法、携帯端末、およびそのコンピュータプログラムに関する。
【背景技術】
【０００２】
近年、チャージ機能等の有用性からＰＡＳＭＯ（パスモ）（登録商標）、Ｓｕｉｃａ（Super Urban Intelligent Card）（スイカ）（登録商標）等の非接触ＩＣカードタイプの乗車券の利用者が増えている。また、非接触ＩＣカードの機能は、携帯電話端末、その他の携帯端末等のモバイル機器にも搭載されるようになり、一般にも普及してきている。
【０００３】
自動改札装置の一例が特許文献１に記載されている。特許文献１の自動改札装置は、複数枚の乗車券やＳＦ（Stored Fare）カードを処理する自動改札装置において、出場時、通行者により投入されたＳＦカードからそれに記録されている情報を読取り、この読取った情報の中に併用した定期券の情報である併用定期券情報が存在するか否かを判断し、この判断の結果、併用定期券情報が存在する場合、その併用定期券情報により通行者の所持する定期券が当日当駅有効かを判断し、この判断の結果、通行者の所持する定期券が当日当駅有効である場合、該自動改札装置を定期券追加投入待ち状態に制御する。
【０００４】
また、携帯端末に定期券情報を含む非接触ＩＣカードを内蔵したシステムの例が特許文献２乃至４に記載されている。さらに、複数枚の定期券を所有している乗客の不正乗車を防止する方法が特許文献５に記載されている。
【特許文献１】特開２０００−９９７７７号公報
【特許文献２】特開２００６−３３１１７５号公報
【特許文献３】特開２００８−６７２９５号公報
【特許文献４】特開２００８−６５７８１号公報
【特許文献５】特開平７−２５４０７８号公報
【発明の開示】
【発明が解決しようとする課題】
【０００５】
ところで、複数の定期券を所持している利用者は、誤って、実際の乗車区間とは異なる他方の定期券を使って自動改札を通過すると、本来支払う必要のない運賃を、その乗車券のＩＣカードのチャージ残額から引き落とされてしまうという問題があった。
【０００６】
具体的には、たとえば、ＰＡＳＭＯ定期券とＳｕｉｃａ定期券の二つのＩＣカードを所有する交通機関利用者がいたとすると、仮にＳｕｉｃａ定期券にチャージ料金を予め納めていた場合、利用した交通機関がＰＡＳＭＯ定期券区間であっても、自動改札機がＳｕｉｃａ定期券のＩＣカードを入退場手続き時に認識してまったために、本来支払う必要のないＰＡＳＭＯ定期券区間の運賃をＳｕｉｃａ定期券のチャージ残額から引き落とされてしまうという問題があった。
【０００７】
本発明の目的は、上述した課題を解決する自動改札システム、自動改札方法、携帯端末、およびそのコンピュータプログラムを提供することにある。
【課題を解決するための手段】
【０００８】
本発明の携帯端末は、入場駅の入場駅情報を受信する受信手段と、
所定の区間の定期券を含むＩＣカード毎に前記定期券の定期券情報を記憶する記憶手段と、
前記記憶手段を参照し、前記定期券情報に基づいて、受信した前記入場駅情報に対応する定期券があるか否か判定する判定手段と、
前記入場駅情報に対応する前記定期券情報と判定された前記定期券を含むＩＣカードを入場処理に使用するＩＣカードとして自動的に選択する選択手段と、を備える。
【０００９】
本発明の自動改札システムは、上記携帯端末と、
入場駅情報を前記携帯端末に送信する送信手段を備える。
【００１０】
本発明の自動改札方法は、
ユーザが携帯する携帯端末が、所定の区間の定期券を含むＩＣカード毎に前記定期券の定期券情報を記憶する記憶装置を有し、
前記携帯端末が、
入場駅の入場駅情報を受信し、
前記記憶装置を参照し、前記定期券情報に基づいて、受信した前記入場駅情報に対応する定期券があるか否か判定し、
前記入場駅情報に対応する前記定期券情報と判定された前記定期券を含むＩＣカードを入場処理に使用するＩＣカードとして自動的に選択する。
【００１１】
本発明のコンピュータプログラムは、
携帯端末を実現するためのコンピュータプログラムであって、
コンピュータは、所定の区間の定期券を含むＩＣカード毎に前記定期券の定期券情報を記憶する記憶装置を有し、
前記コンピュータに、
入場駅の入場駅情報を受信する受信手段、
前記記憶装置を参照し、前記定期券情報に基づいて、受信した前記入場駅情報に対応する定期券があるか否か判定する判定手段、
前記入場駅情報に対応する前記定期券情報と判定された前記定期券を含むＩＣカードを入場処理に使用するＩＣカードとして自動的に選択する選択手段、として機能させるためのものである。
【００１２】
なお、以上の構成要素の任意の組合せ、本発明の表現を方法、装置、システム、記録媒体、コンピュータプログラムなどの間で変換したものもまた、本発明の態様として有効である。
【００１３】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００１４】
また、本発明の方法およびコンピュータプログラムには複数の手順を順番に記載してあるが、その記載の順番は複数の手順を実行する順番を限定するものではない。このため、本発明の方法およびコンピュータプログラムを実施するときには、その複数の手順の順番は内容的に支障しない範囲で変更することができる。
【００１５】
さらに、本発明の方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１６】
本発明によれば、適正な運賃で交通機関を利用できる使い勝手のよい自動改札システム、自動改札方法、携帯端末、およびそのコンピュータプログラムが提供される。
【発明を実施するための最良の形態】
【００１７】
以下、本発明の実施の形態について、図面を用いて説明する。尚、すべての図面において、同様な構成要素には同様の符号を付し、適宜説明を省略する。
【００１８】
（第１の実施の形態）
図１は、本発明の実施の形態に係る自動改札システム１の構成を示す機能ブロック図である。
【００１９】
本実施形態の自動改札システム１は、携帯端末１００と、入場駅情報をユーザの携帯端末１００に送信する送信部３０と、を備えている。
【００２０】
ユーザは、交通機関、たとえば、電車、地下鉄やバスなどを利用する際、自動改札機３を入退場する。このとき、自動改札機３に設けられた非接触ＩＣカード読み取り面（不図示）に、非接触ＩＣカードのプリペイドカード乗車券や定期券をかざしてゲートを通過することができる。自動改札機３における非接触ＩＣカードによる運賃の精算処理、ゲート開閉制御などについては、一般的な手法を用いることができ、本発明の本質には関わらないので、詳細な説明は省略する。
【００２１】
本実施形態において、携帯端末１００は、基地局（不図示）を介して携帯通信網に接続可能な携帯電話機であるが、これに限定されない。たとえば、ＰＨＳ（Personal Handyphone System）、ＰＤＡ（Personal Digital Assistants）、ゲーム機なども含むことができる。
【００２２】
本実施形態の携帯端末１００は、非接触ＩＣカードを内蔵しており、ユーザは少なくとも一つの非接触ＩＣカードに対応した各種交通機関に乗車する際に利用可能な定期券機能または乗車券として利用可能な電子マネー機能をするＩＣカード、例として、Ｓｕｉｃａ、ＰＡＳＭＯ、ＴＯＩＣＡ（トイカ）（登録商標）などを所持しており、携帯端末１００にてこれらのＩＣカードの利用が可能であるとする。
【００２３】
ユーザは、予めユーザ登録を行い、これらのＩＣカードを携帯端末１００で利用可能とすることができるが、これらの処理については、一般的な手法を用いることができ、本発明の本質に関わらないので詳細な説明は省略する。
【００２４】
本実施形態の携帯端末１００は、入場駅の入場駅情報を受信する受信部１０２と、所定の区間の定期券を含むＩＣカード毎に定期券の定期券情報を記憶する記憶部（乗車券情報記憶部（図中、「乗車券情報」と示す）１０４）と、乗車券情報記憶部１０４を参照し、定期券情報に基づいて、受信した入場駅情報に対応する定期券があるか否か判定する判定部１０６と、入場駅情報に対応する定期券情報と判定された定期券を含むＩＣカードを入場処理に使用するＩＣカードとして自動的に選択する選択部１０８と、を備えている。
【００２５】
なお、以下の各図において、本発明の本質に関わらない部分の構成については省略してあり、図示されていない。
【００２６】
また、自動改札システム１の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウェアとソフトウェアの任意の組合せによって実現される。そして、その実現方法、装置にはいろいろな変形例があることは、当業者には理解されるところである。以下説明する各図は、ハードウェア単位の構成ではなく、機能単位のブロックを示している。
【００２７】
具体的には、自動改札機３は、送信部３０と、入場受付部３２と、を有する。
送信部３０は、携帯端末１００を携帯するユーザが駅に入場するとき、その入場駅を示す入場駅情報、たとえば、入場駅の識別情報をユーザの携帯端末１００に無線通信により送信する。
【００２８】
本実施形態において、送信部３０は、非接触ＩＣカードリーダライタを含み、後述する携帯端末１００の非接触式ＩＣカード部と無線通信する無線通信部を含む。あるいは、ＲＦＩＤ（Radio Frequency Identification）タグを含み、タグに書き込まれた入場駅情報を携帯端末１００に発信してもよい。他の実施形態において、送信部３０は、携帯端末１００と無線通信できる構成であればよく、たとえば、赤外線通信、無線ＬＡＮ（Local Area Network）通信などの無線通信部を含んでもよい。入場駅情報は、自動改札機３をユーザが通過するとき、または、通過する前、すなわち、入場処理が行われる前に送信される。
【００２９】
入場受付部３２は、携帯端末１００から、入場に必要な各種情報を無線通信により受信する。本実施形態において、入場受付部３２は、非接触ＩＣカードリーダライタを含み、後述する携帯端末１００の非接触式ＩＣカード部と無線通信する無線通信部を含む。
【００３０】
携帯端末１００は、受信部１０２と、乗車券情報記憶部１０４と、判定部１０６と、選択部１０８と、入場処理部１１０と、選択受付部１１２と、を有する。
【００３１】
図２は、図１の自動改札システム１の携帯端末１００のハードウェア構成を示すブロック図である。同図に示すように、携帯端末１００は、ＣＰＵ（Central Processing Unit）５０と、ＲＯＭ（Read Only Memory）５２と、ＲＡＭ（Random Access Memory）５４と、移動通信部５６と、移動通信用アンテナ５８と、操作部６０と、操作受付部６２と、表示部６４と、表示制御部６６と、スピーカ６８と、音声入出力部７０と、非接触ＩＣカード部７２と、非接触通信用アンテナ７４と、を有する。
【００３２】
ＣＰＵ５０は、携帯端末１００の各要素とバス９０を介して接続され、各要素とともに携帯端末１００全体を制御する。ＲＯＭ５２は、携帯端末１００を動作させるためのプログラムや、そのプログラムが動作する際に使用する各種設定データなどを記憶するとともに、アプリケーションデータ等の各種データを含むユーザデータを記憶する。ＲＡＭ５４は、プログラムが動作するための作業領域や各種データの一時記憶領域を有する。ＣＰＵ５０は、ＲＯＭ５２に記憶されたプログラムを実行することで携帯端末１００の機能を実現する。
【００３３】
移動通信部５６は、移動通信用アンテナ５８を介して基地局（不図示）を経由して携帯通信網（不図示）に接続し、データ通信や通話を可能にする。なお、本図において、通話機能部などは図示されていない。
【００３４】
操作部６０は、ユーザが操作可能な操作キー、操作ボタン、スイッチ、ジョグダイヤル、タッチパッドなどを含む。操作受付部６２は、ユーザによる操作部６０の操作を受け付け、ＣＰＵ５０に通知する。
【００３５】
表示部６４は、ユーザに各種画面を提示したり、点灯点滅で各種通知を行うものであり、ＬＥＤ（Light Emitting Diode）表示器や、液晶ディスプレイ、有機ＥＬ（ElectroLuminescence）ディスプレイなどを含む。表示制御部６６は、ＣＰＵ５０からの指示に従い、表示部６４に各種画面表示や点灯点滅制御を行う。音声入出力部７０は、ＣＰＵ５０からの指示に従い、スピーカ６８から音声出力を行う。あるいは、音声入出力部７０は、マイク（不図示）から音声入力を行い、ＣＰＵ５０に通知する。操作部６０、表示部６４、およびスピーカ６８は、携帯端末１００のユーザインターフェースとして機能する。
【００３６】
非接触ＩＣカード部７２は、非接触通信用アンテナ７４を介して、非接触ＩＣカードリーダライタと無線通信する無線通信部（不図示）と、各種データを記憶するメモリ（不図示）と、各種データを処理する処理部（不図示）とを有する。本実施形態では、非接触ＩＣカード部７２にて、複数の定期券を含むＩＣカード機能を実現することができるものとする。
【００３７】
図１に戻り、受信部１０２は、ユーザが駅に入場するとき、当該入場駅の入場駅情報を自動改札機３の送信部３０から無線通信により受信する。本実施形態において、受信部１０２は、図２の非接触ＩＣカード部７２および非接触通信用アンテナ７４により自動改札機３の送信部３０と無線通信することができる。
【００３８】
乗車券情報記憶部１０４は、所定の区間の定期券を含むＩＣカード毎に、その定期券の定期券情報を記憶する。乗車券情報記憶部１０４は、ＩＣカード毎に定期券の定期券区間端情報を含む定期券情報記憶部、ＩＣカード毎に定期券の定期券区間内の駅情報を含む駅情報記憶部、およびＩＣカード毎に定期券の定期券区間外の駅の中から利用駅として予め登録された利用駅情報を含む利用駅情報記憶部を有する。
【００３９】
図３（ａ）に示すように、定期券情報記憶部３００は、定期券を含むＩＣカードの情報を有し、たとえば、ＩＣカードの識別情報である乗車券ＩＤ毎に、その定期券の区間の一端駅である第１定期券区間端駅を示す情報と、定期券の区間の他端駅である第２定期券区間端駅を示す情報と、乗車券として利用可能な電子マネーのチャージ残高の金額情報と、を関連付けて記憶する。
【００４０】
図３（ｂ）に、定期券情報記憶部３００に格納されるＩＣカード毎のデータの一例を示す。たとえば、乗車券ＩＤが「０００１」のＩＣカードＣ１は、Ａ駅からＢ駅までの定期券を含み、電子マネーの残高が２５００円である。この例では、３つのＩＣカードＣ１、Ｃ２、およびＣ３（乗車券ＩＤが０００１、０００２、および０００３にそれぞれ対応）の情報が格納されているものとする。
【００４１】
なお、本実施形態では、定期券情報記憶部３００は、定期券の区間の両端の駅を示す情報を記憶しているが、この他、乗り継ぎ駅や乗り換え駅を示す情報を含んでもよい。
【００４２】
図４（ａ）に示すように、駅情報記憶部３１０は、乗車券ＩＤ毎に、定期券の区間の両端駅を除いた区間内の駅を示す情報を関連付けて記憶する。図４（ｂ）に、駅情報記憶部３１０に格納されるＩＣカード毎のデータの一例を示す。たとえば、乗車券ＩＤが「０００２」のＩＣカードＣ２は、図３（ｂ）に示した区間端駅Ｃ駅とＤ駅の間のｂ１駅からｂ５駅を示す情報が格納されているものとする。
【００４３】
なお、各定期券の区間端駅情報は、定期券の区間端駅の情報と路線情報に基づき自動的に選択されて格納されるものとする。これらの情報は、携帯端末１００に格納されていてもよいし、携帯端末１００が所定のウェブサイトにアクセスし、情報を取得してもよい。ユーザは、これらの情報を参照して確認することもでき、経路が複数存在する場合、経路選択や登録された駅の修正などを行うことができ、後述する選択受付部１１２が受け付け、駅情報記憶部３１０に記憶することができる。
【００４４】
なお、本実施形態では、駅情報記憶部３１０は、定期券の区間内のすべての駅を示す情報を含んでいるが、これに限定されない。たとえば、複数の定期券の区間に同じ駅が含まれる場合、当該駅を利用するときに使用する定期券を予め決め、ユーザが指定することができる。これらの指定は、選択受付部１１２が受け付け、利用駅情報記憶部３２０に記憶することができる。あるいは、利用を登録された定期券以外の区間駅として記憶されていた当該駅の情報は、該当するＩＣカード（利用登録されていない定期券を含むＩＣカード）の定期券の区間内駅から削除してもよい。
【００４５】
また、複数の定期券に同じ駅が含まれる場合など、いずれの定期券を利用するか判定するための情報として、当該駅を入場駅とする場合に使用する定期券の優先順位をその利用条件、たとえば、利用時刻や曜日など、とともにユーザが予め登録することができる。これらの情報は、選択受付部１１２が受け付け、乗車券情報記憶部１０４に記憶することができる。後述する判定部１０６で、これらの利用条件により優先順位に従って利用する定期券を選択することもできる。
【００４６】
図５（ａ）に示すように、利用駅情報記憶部３２０は、乗車券ＩＤ毎に、ユーザが指定した利用登録駅を示す情報を関連付けて記憶する。すなわち、定期券の区間に含まれていない駅であっても、その定期券を含むＩＣカードに関連付けて登録された駅で入場した場合、そのＩＣカードを利用して入場処理を行うことができる。たとえば、定期券区間外で、かつ、利用頻度の高い利用駅があり、その利用駅から入場後は必ずある定期券の区間を移動経路として含む可能性が高い場合、その定期券を含むＩＣカードの利登録用駅としてユーザが予め登録することができる。選択受付部１１２が受け付け、利用駅情報記憶部３２０に記憶することができる。
【００４７】
図５（ｂ）、利用駅情報記憶部３２０に格納されるＩＣカード毎のデータの一例を示す。たとえば、乗車券ＩＤが「０００１」のＩＣカードは、定期券区間外の利登録用駅としてａ１１駅とａ１２駅を示す情報が登録されているものとする。
【００４８】
図１に戻り、判定部１０６は、乗車券情報記憶部１０４を参照し、定期券情報に基づいて、受信部１０２が受信した入場駅情報に対応するＩＣカードがあるか否かを判定する。対応するＩＣカードがあった場合、その乗車券ＩＤを選択部１０８に通知する。対応するＩＣカードがなかった場合は、その旨を選択部１０８に通知してもよいし、あるいは、利用するＩＣカードの優先順位を予め登録しておき（たとえば、乗車券ＩＤの昇順などでもよい）、そのＩＣカードの乗車券ＩＤを通知してもよい。
【００４９】
詳細には、判定部１０６は、乗車券情報記憶部１０４の定期券情報記憶部３００（図３）を参照し、受信部１０２が受信した入場駅に一致する定期券区間端駅を含む定期券があるか否かを判定し、一致する定期券があった場合、その定期券を含むＩＣカードの乗車券ＩＤを選択部１０８に通知する。
【００５０】
さらに、判定部１０６は、乗車券情報記憶部１０４の駅情報記憶部３１０（図４）を参照し、受信部１０２が受信した入場駅に一致する定期券区間内駅を含む定期券があるか否かを判定し、一致する定期券があった場合、その定期券を含むＩＣカードの乗車券ＩＤを選択部１０８に通知する。
【００５１】
さらに、判定部１０６は、乗車券情報記憶部１０４の利用駅情報記憶部３２０（図５）を参照し、受信部１０２が受信した入場駅に一致する定期券区間外の利用登録駅を含むＩＣカードがあるか否かを判定し、一致するＩＣカードがあった場合、そのＩＣカードの乗車券ＩＤを選択部１０８に通知する。
【００５２】
定期券情報記憶部３００（図３）、駅情報記憶部３１０（図４）、および利用駅情報記憶部３２０（図５）に基づく判定で、一致するＩＣカードがなかった場合、判定部１０６は、対応するＩＣカードがなかったことを選択部１０８に通知する。あるいは、予め登録されている優先順位に従ったＩＣカードの乗車券ＩＤを選択部１０８に通知する。
【００５３】
選択部１０８は、判定部１０６からの通知された乗車券ＩＤを入場処理に使用する乗車券として自動的に選択し、入場処理を入場処理部１１０に指示する。判定部１０６から、該当するＩＣカードがなかった旨が通知された場合は、選択部１０８は、選択受付部１１２に通知する。あるいは、選択部１０８は、予め登録されている優先順位に従ったＩＣカードの乗車券ＩＤを選択し、入場処理を入場処理部１１０に指示してもよい。
【００５４】
入場処理部１１０は、選択部１０８からの指示に従って選択部１０８により選択されたＩＣカードで入場処理を行う。入場処理部１１０は、自動改札機３の入場受付部３２と無線通信して入場処理に必要な情報を受信し、入場処理を行う。本実施形態において、入場処理部１１０は、図２の非接触ＩＣカード部７２および非接触通信用アンテナ７４により自動改札機３の入場受付部３２と無線通信することができる。
【００５５】
選択受付部１１２は、乗車券情報記憶部１０４の定期券情報記憶部３００（図３）、駅情報記憶部３１０（図４）、および利用駅情報記憶部３２０（図５）に格納されている情報をユーザに図２の表示制御部６６を介して表示部６４（図２）に画面表示させて提示し、さらに、操作画面を表示させてユーザに操作部６０（図２）により設定や入力操作を行わせ、操作受付部６２（図２）を介して操作を受け付ける。
【００５６】
また、選択受付部１１２は、判定部１０６における判定において、入場駅情報と、予め登録されていた各定期券を含むＩＣカードに対応する駅の情報が存在しなかった場合に、いずれのＩＣカードを利用するかをユーザに問い合わせ、ユーザの選択を受け付け、選択部１０８に通知する。
【００５７】
詳細には、選択受付部１１２は、ユーザに対して、利用するＩＣカードを選択するよう促す案内画面を表示部６４（図２）に表示させ、ユーザが操作部６０（図２）により選択したＩＣカードを受け付け、選択部１０８に通知する。このとき、表示部６４（図２）には、乗車券情報記憶部１０４の各情報を参照する画面や路線図などを表示してもよい。また、経路情報を有し、経路情報と乗車券情報記憶部１０４の情報に基づき、推奨される経路を推測し、推奨経路を利用するのに適切なＩＣカードを自動的に選択してユーザに提示してもよい。
【００５８】
また、選択受付部１１２は、表示部６４（図２）に案内画面を表示する際、ユーザの注意を喚起するために、スピーカ６８（図２）から音声にて、選択を促すメッセージや警告音を省略させるよう音声入出力部７０（図２）に指示してもよい。
【００５９】
ユーザは、表示部６４（図２）に表示されたＩＣカードの中から、退場時に最も運賃が安くなるＩＣカードを選択することができる。
【００６０】
本実施の形態の携帯端末１００は、図２のＲＯＭ５２に実装されているコンピュータプログラムに対応して各種の処理動作をＣＰＵ５０（図２）が実行することにより、前述のような各種ユニット１０２〜１１２（図１）が各種機能として実現されている。
【００６１】
本実施形態において、コンピュータプログラムは、ＲＯＭ５２（図２）に予めインストールされていてもよいし、あるいは、アプリケーションプログラムを後からＲＯＭ５２（図２）にインストールしてもよい。
【００６２】
ユーザは、予めユーザ登録を行い、本システムを利用可能とすることができるが、これらの処理については、手法を用いることができ、本発明の本質に関わらないので詳細な説明は省略する。
【００６３】
本実施形態のコンピュータプログラムは、携帯端末１００を実現するためのコンピュータプログラムであって、コンピュータは、所定の区間の定期券を含むＩＣカード毎に定期券の定期券情報を記憶する乗車券情報記憶部１０４を有し、コンピュータに、入場駅の入場駅情報を受信する受信手順、乗車券情報記憶部１０４を参照し、定期券情報に基づいて、受信した入場駅情報に対応する定期券があるか否か判定する判定手順、入場駅情報に対応する定期券情報と判定された定期券を含むＩＣカードを入場処理に使用するＩＣカードとして自動的に選択する選択手順、を実行させるように記述されている。
【００６４】
上述のような構成において、本実施の形態の自動改札システム１による自動改札方法を以下に説明する。図６は、本実施形態の自動改札システム１の動作の一例を示すフローチャートである。
【００６５】
本実施形態の自動改札方法は、ユーザが携帯する携帯端末１００が、所定の区間の定期券を含むＩＣカード毎に定期券の定期券情報を記憶する乗車券情報記憶部１０４を有し、携帯端末１００が、入場駅の入場駅情報を受信し（ステップＳ１０３）、乗車券情報記憶部１０４を参照し、定期券情報に基づいて、受信した入場駅情報に対応する定期券があるか否か判定し（ステップＳ１０５、Ｓ１０９、Ｓ１１１）、入場駅情報に対応する定期券情報と判定された定期券を含むＩＣカードを入場処理に使用するＩＣカードとして自動的に選択する（ステップＳ１０７）。
【００６６】
具体的には、ユーザが自動改札機３を入場するとき、自動改札機３の非接触ＩＣカード読取面に携帯端末１００をかざすと、自動改札機３の送信部３０から送信された入場駅情報を受信部１０２が検知する（ステップＳ１０１のＹＥＳ）。入場駅情報を検知すると、携帯端末１００の受信部１０２が入場駅情報を受信し（ステップＳ１０３）、判定部１０６が乗車券情報記憶部１０４にアクセスし、定期券情報に基づいて、受信した入場駅情報に対応する定期券があるか否か判定する。
【００６７】
以下、（１）〜（４）のケース毎に説明する。
【００６８】
（１）定期券区間端駅であるＤ駅で入場した場合
判定部１０６は、乗車券情報記憶部１０４の定期券情報記憶部３００（図３）を参照し、受信部１０２が受信した入場駅に一致する定期券区間端駅を含む定期券があるか否かを判定する（ステップＳ１０５）。ここでは、入場駅がＤ駅であるので、図３（ｂ）に示すように、定期券情報記憶部３００の乗車券ＩＤが０００２のＩＣカードＣ２の第２定期券区間端駅と一致するので（ステップＳ１０５のＹＥＳ）、ステップＳ１０７に進み、選択部１０８により、ＩＣカードＣ２が自動的に選択される。そして、入場処理部１１０により、自動改札機３の入場受付部３２にＩＣカードＣ２を用いて入場処理を行うよう通知し、入場処理を行う（ステップＳ１１９）。
【００６９】
このように、本実施形態の自動改札システム１によれば、複数の定期券を所持する場合でも、何れかの定期券の定期券区間端駅からの入場であれば、定期券区間端情報が一致する定期券を含むＩＣカードを入場処理に使用するＩＣカードとして自動的に選択されるので、入場時にＩＣカードの選択を誤って、本来支払う必要のない運賃を支払うといった問題は起きなくなる。
【００７０】
（２）定期券区間内駅であるｃ２駅で入場した場合
判定部１０６は、乗車券情報記憶部１０４の定期券情報記憶部３００（図３）を参照し、受信部１０２が受信した入場駅に一致する定期券区間端駅を含む定期券があるか否かを判定する（ステップＳ１０５）。ここでは、入場駅がｃ２駅であるので、図３（ｂ）に示すように、いずれの定期券の定期券情報記憶部３００にもｃ２駅は含まれないので（ステップＳ１０５のＮＯ）、ステップＳ１０９に進む。
【００７１】
判定部１０６は、乗車券情報記憶部１０４の駅情報記憶部３１０（図４）を参照し、受信部１０２が受信した入場駅に一致する定期券区間内駅を含む定期券があるか否かを判定する。ここでは、入場駅がｃ２駅であるので、図４（ｂ）に示すように、駅情報記憶部３１０の乗車券ＩＤが０００３のＩＣカードＣ３の定期券区間内駅と一致するので（ステップＳ１０９のＹＥＳ）、ステップＳ１０７に進み、選択部１０８により、ＩＣカードＣ３が自動的に選択される。そして、入場処理部１１０により、自動改札機３の入場受付部３２にＩＣカードＣ３を用いて入場処理を行うよう通知し、入場処理を行う（ステップＳ１１９）。
【００７２】
このように、本実施形態の自動改札システム１によれば、定期券区間端駅以外の定期券区間内の駅から入場する場合でも、入場駅情報が定期券区間内駅情報と一致した場合に自動的に該当定期券を含むＩＣカードを入場処理に使用するＩＣカードとして選択し、入場することが可能となるので、入場時にＩＣカードの選択を誤って、本来支払う必要のない運賃を支払うといった問題は起きなくなる。
【００７３】
（３）定期券区間外の利用登録駅であるａ１１駅で入場した場合
判定部１０６は、乗車券情報記憶部１０４の定期券情報記憶部３００（図３）を参照し、受信部１０２が受信した入場駅に一致する定期券区間端駅を含む定期券があるか否かを判定する（ステップＳ１０５）。ここでは、入場駅がａ１１駅であるので、図３（ｂ）に示すように、いずれの定期券の定期券情報記憶部３００にもａ１１駅は含まれないので（ステップＳ１０５のＮＯ）、ステップＳ１０９に進む。
【００７４】
判定部１０６は、乗車券情報記憶部１０４の駅情報記憶部３１０（図４）を参照し、受信部１０２が受信した入場駅に一致する定期券区間内駅を含む定期券があるか否かを判定する。ここでは、入場駅がａ１１駅であるので、図４（ｂ）に示すように、いずれの定期券の駅情報記憶部３１０にもａ１１駅は含まれないので（ステップＳ１０９のＮＯ）、ステップＳ１１１に進む。
【００７５】
判定部１０６は、乗車券情報記憶部１０４の利用駅情報記憶部３２０（図５）を参照し、受信部１０２が受信した入場駅に一致する利用登録駅を含む定期券があるか否かを判定する。ここでは、入場駅がａ１１駅であるので、図５（ｂ）に示すように、利用駅情報記憶部３２０の乗車券ＩＤが０００１のＩＣカードＣ１の利用登録駅と一致するので（ステップＳ１１１のＹＥＳ）、ステップＳ１０７に進み、選択部１０８により、ＩＣカードＣ１が自動的に選択される。そして、入場処理部１１０により、自動改札機３の入場受付部３２にＩＣカードＣ１を用いて入場処理を行うよう通知し、入場処理を行う（ステップＳ１１９）。
【００７６】
このように、本実施形態の自動改札システム１によれば、定期券区間外であっても利用登録駅として利用駅情報記憶部３２０に登録済みの駅から入場する場合は、退場時に、予め登録されている最も運賃が安くなる経路で精算可能になるＩＣカードを自動的に選択して乗車できるので、本来支払う必要のない運賃を支払うといった問題は起きなくなる。
【００７７】
（４）定期券区間外の駅であるＧ駅で入場した場合
判定部１０６は、乗車券情報記憶部１０４の定期券情報記憶部３００（図３）を参照し、受信部１０２が受信した入場駅に一致する定期券区間端駅を含む定期券があるか否かを判定する（ステップＳ１０５）。ここでは、入場駅がＧ駅であるので、図３（ｂ）に示すように、いずれの定期券の定期券情報記憶部３００にもＧ駅は含まれないので（ステップＳ１０５のＮＯ）、ステップＳ１０９に進む。
【００７８】
判定部１０６は、乗車券情報記憶部１０４の駅情報記憶部３１０（図４）を参照し、受信部１０２が受信した入場駅に一致する定期券区間内駅を含む定期券があるか否かを判定する。ここでは、入場駅がＧ駅であるので、図４（ｂ）に示すように、いずれの定期券の駅情報記憶部３１０にもＧ駅は含まれないので（ステップＳ１０９のＮＯ）、ステップＳ１１１に進む。
【００７９】
判定部１０６は、乗車券情報記憶部１０４の利用駅情報記憶部３２０（図５）を参照し、受信部１０２が受信した入場駅に一致する利用登録駅を含む定期券があるか否かを判定する。ここでは、入場駅がＧ駅であるので、図５（ｂ）に示すように、いずれの定期券の利用駅情報記憶部３２０にもＧ駅は含まれないので（ステップＳ１１１のＮＯ）、ステップＳ１１３に進む。
【００８０】
選択受付部１１２により、ユーザに対して、利用するＩＣカードを選択するよう促す案内画面を携帯端末１００の表示部６４に表示する（ステップＳ１１３）。そして、ユーザが画面の案内に従って、操作部６０を用いてＩＣカード、たとえば、ＩＣカードＣ２を選択すると（ステップＳ１１５のＹＥＳ）、選択受付部１１２が選択されたＩＣカードＣ２を受け付け、選択部１０８に通知する。
【００８１】
通知を受けて、選択部１０８により、ＩＣカードＣ２が選択される（ステップＳ１１７）。そして、入場処理部１１０により、自動改札機３の入場受付部３２にＩＣカードＣ２を用いて入場処理を行うよう通知し、入場処理を行う（ステップＳ１１９）。
【００８２】
このように、本実施形態の自動改札システム１によれば、所持している複数の定期券の中に入場駅に該当する駅がない場合、ユーザにＩＣカードを選択するよう促すことができるので、適切なＩＣカードを簡単に選択して利用して入場することができる。
【００８３】
以上説明したように、本発明の実施の形態の自動改札システム１によれば、複数の定期券を所持して交通機関を利用する際、これまでの入場処理制御の前処理として、入場駅情報を入場者の持つ携帯端末１００に送信する機能を有することにより、所持している複数の定期券を、適切に自動的に選択して間違いなく利用して乗車でき、誤って余分な運賃を支払うことを防げる。たとえば、複数の定期券や乗車券を所持している場合でも、適切な定期券を使用して常に適正な運賃で交通機関を利用することが可能になる。
【００８４】
また、本実施形態の自動改札システム１では、管理サーバなどの構成を変更する必要がなく、送信部３０と、携帯端末１００にプログラムを追加するだけで実現することができる。
【００８５】
（第２の実施の形態）
図７は、本発明の実施の形態に係る自動改札システム２１の構成を示す機能ブロック図である。
【００８６】
本実施形態の自動改札システム２１は、上記実施形態の自動改札システム１とは、入場駅情報を携帯端末１００に送信する送信装置２００を自動改札機３とは別に設けた点で相違する。図７に示すように、本実施形態の自動改札システム２１は、図１の上記実施形態の自動改札システム１の自動改札機３の送信部３０の替わりに、入場駅情報を携帯端末１００に送信する送信装置２００を備えている。送信装置２００以外の構成については、図１と同様であるので、詳細な説明は省略する。
【００８７】
送信装置２００は、入場自動改札機３近傍に設置されるのが好ましい。送信装置２００は、入場駅を示す入場駅情報、たとえば、入場駅の識別情報をユーザの携帯端末１００に無線通信により送信する。
【００８８】
本実施形態において、送信装置２００は、非接触ＩＣカードリーダライタ（不図示）を含み、携帯端末１００の非接触式ＩＣカード部７２（図２）と無線通信する無線通信部（不図示）を含む。あるいは、ＲＦＩＤタグ（不図示）を含み、タグに書き込まれた入場駅情報を携帯端末１００に発信してもよい。他の実施形態において、送信装置２００は、携帯端末１００と無線通信できる構成であればよく、たとえば、赤外線通信、無線ＬＡＮ（Local Area Network）通信などの無線通信部（不図示）を含んでもよい。
【００８９】
このように構成された本実施形態の自動改札システム２１では、上記実施形態の動作の一例を示した図６のフローチャートのステップＳ１０１およびＳ１０３で、自動改札機３の送信部３０から送信された入場駅情報を受信する替わりに、送信装置２００から送信された入場駅情報を受信することとなる。その他の動作は上記実施形態と同様であるので、説明は省略する。
【００９０】
以上、説明したように、本実施形態の自動改札システム２１によれば、上記実施形態の効果に加え、さらに、自動改札機３は、従来のハードウェア構成のままとし、送信装置２００を設置するだけで、本実施形態の自動改札システム２１を実現可能となるという効果を奏する。
【００９１】
以上、図面を参照して本発明の実施形態について述べたが、これらは本発明の例示であり、上記以外の様々な構成を採用することもできる。
【００９２】
たとえば、携帯端末１００は、選択受付部１１２でユーザにより自動でＩＣカードが選択されたとき（図６のステップＳ１１７）、その入場駅情報の駅を、利用駅情報記憶部３２０の選択したＩＣカードの利用登録駅として、自動的に登録する登録部（不図示）をさらに備えてもよい。また、登録する前に、ユーザに確認した上で、登録してもよい。
この構成によれば、自動的に利用登録駅を登録でき、使い勝手がより向上する。
【図面の簡単な説明】
【００９３】
【図１】本発明の実施の形態に係る自動改札システムの構成を示す機能ブロック図である。
【図２】図１の自動改札システムの携帯端末のハードウェア構成を示すブロック図である。
【図３】図１の自動改札システムの携帯端末の乗車券情報記憶部の定期券情報記憶部の構造の一例を示す図である。
【図４】図１の自動改札システムの携帯端末の乗車券情報記憶部の駅情報記憶部の構造の一例を示す図である。
【図５】図１の自動改札システムの携帯端末の乗車券情報記憶部の利用駅情報記憶部の構造の一例を示す図である。
【図６】図１の自動改札システムの動作の一例を示すフローチャートである。
【図７】本発明の実施の形態に係る自動改札システムの構成を示す機能ブロック図である。
【符号の説明】
【００９４】
１  自動改札システム
３  自動改札機
３０  送信部
３２  入場受付部
５０  ＣＰＵ
５２  ＲＯＭ
５４  ＲＡＭ
５６  移動通信部
５８  移動通信用アンテナ
６０  操作部
６２  操作受付部
６４  表示部
６６  表示制御部
６８  スピーカ
７０  音声入出力部
７２  非接触ＩＣカード部
７４  非接触通信用アンテナ
９０  バス
１００  携帯端末
１０２  受信部
１０４  乗車券情報記憶部
１０６  判定部
１０８  選択部
１１０  入場処理部
１１２  選択受付部
３００  定期券情報記憶部
３１０  駅情報記憶部
３２０  利用駅情報記憶部
２１  自動改札システム
２００  送信装置
【図１】
2010079817.tif 000003
【図２】
2010079817.tif 000004
【図３】
2010079817.tif 000005
【図４】
2010079817.tif 000006
【図５】
2010079817.tif 000007
【図６】
2010079817.tif 000008
【図７】
2010079817.tif 000009